(57)【要約】【課題】使用開始後長期間平面性を維持し、更には、強度も十分あって机面等に対して滑り難く、表面に広告欄を設けたマウスパッドを提供する。【解決手段】厚みが１〜８ｍｍ、横が１３〜３０ｃｍ、縦が１０〜２０ｃｍの矩形の発泡性ゴムシート１１の表面に、布シート１２が貼着され、更に布シート１２の表面には、広告欄１４〜１６が設けられている。そして、発泡性ゴムシート１１の素材は例えばクロロプレンゴム、ニトリルゴム等であって、布シート１２はジャージである。【選択図】図１
0003153257.tif 000002
【実用新案登録請求の範囲】
【請求項１】
厚みが１〜８ｍｍの発泡性ゴムシートの表面に布シートが貼着され、更に前記布シートの表面には広告欄が設けられていることを特徴とするマウスパッド。
【請求項２】
請求項１記載のマウスパッドにおいて、前記布シートはジャージであることを特徴とするマウスパッド。
【請求項３】
請求項２記載のマウスパッドにおいて、前記ジャージはポリエステル製又はナイロン製であることを特徴とするマウスパッド。
【請求項４】
請求項１〜３のいずれか１記載のマウスパッドにおいて、前記発泡性ゴムシートの厚みは、２．５〜６ｍｍであることを特徴とするマウスパッド。
【請求項５】
請求項１〜４のいずれか１記載のマウスパッドにおいて、前記発泡性ゴムシートの材料は、クロロプレンゴム、ニトリルゴム、エチレン−プロピレンゴム、ブチルゴム、アクリルゴム、及びクロロスルホン化ポリエチレンゴムのいずれか１であることを特徴とするマウスパッド。
【請求項６】
請求項１〜５のいずれか１記載のマウスパッドにおいて、前記発泡性ゴムシートの寸法は横が１３〜３０ｃｍ、縦が１０〜２０ｃｍの範囲にあり、かつ角部が丸くなった矩形状となっていることを特徴とするマウスパッド。
【請求項７】
請求項１〜６のいずれか１記載のマウスパッドにおいて、前記広告欄には、広告主の名前、広告主の電話番号、及び広告主のウェブサイトのアドレスが記載されていることを特徴とするマウスパッド。
【請求項８】
請求項１〜７のいずれか１記載のマウスパッドにおいて、前記発泡性ゴムシートの裏面にも広告欄が設けられていることを特徴とするマウスパッド。
【考案の詳細な説明】
【技術分野】
【０００１】
本考案はコンピュータ等においてディスプレイの画面をマウスで操作する場合に使用するマウスパッドに関し、物理的にボールの転がりから移動距離を求めるもの、及び光学的方法によって移動距離を求めるもののいずれにも適用可能なマウスパッドに関する。
【背景技術】
【０００２】
従来、例えば特許文献１に記載のように、シリコーンゴムを素材として、表面にボール体の移動面又は光反射面を有するマウスパッドが提案されている。
また、特許文献２には、板紙製基材の表面に広告面を設けると共に、広告面の上に樹脂膜層を形成し、裏面には滑り止めが設けられたマウスパッドが提案されている。
【先行技術文献】
【特許文献】
【０００３】
【特許文献１】実用新案登録第３１０６２６０号公報
【特許文献２】実用新案登録第３０２２９９９号公報
【考案の概要】
【考案が解決しようとする課題】
【０００４】
しかしながら、特許文献１に記載のマウスパッドは、シリコーンゴムを使用しているので、比較的密度が高く、マウスパッドが重くなり、更には熱等が加わった場合には変形して変形した形状を保持し易いという問題があった。
また、特許文献２記載のマウスパッドにおいては、板紙製基材の表面に広告面、樹脂膜層を設け、板紙製基材の裏面にゴム又は樹脂製の滑り止めが形成されているので、仮に水やコーヒ等がかかった場合には、紙内に浸入しふやける場合があり、更に一旦折れ曲がるとシート自体に変形跡が残るという問題があった。
【０００５】
更に、発泡性ゴムや発泡性プラスチックの板材そのもので構成したマウスパッドや、発泡性ゴムや発泡性プラスチックの板材の上に薄い硬質のプラスチックシートを貼着したものも提案されているが、発泡性ゴムや発泡性プラスチックの板材そのもののマウスパッドは、パッドの移動に対して抵抗があり、薄くすると破れ易いという問題があった。一方、発泡性ゴムや発泡性プラスチックの板材の上にプラスチックシートを貼着したマウスパッドは、材料の熱膨張等の相違で使用によって徐々に湾曲し易いという問題があった。
【０００６】
本考案は、かかる事情に鑑みてなされたもので、使用開始後長期間平面性を維持し、更には、強度も十分あって机面等に対して滑り難く、表面に広告欄を設けたマウスパッドを提供することを目的とする。
【課題を解決するための手段】
【０００７】
前記目的に沿う第１の考案に係るマウスパッドは、厚みが１〜８ｍｍの発泡性ゴムシートの表面に布シートが貼着され、更に前記布シートの表面には広告欄が設けられている。
【０００８】
また、第２の考案に係るマウスパッドは、第１の考案に係るマウスパッドにおいて、前記布シートはジャージである。
【０００９】
第３の考案に係るマウスパッドは、第２の考案に係るマウスパッドにおいて、前記ジャージはポリエステル製又はナイロン製である。
【００１０】
第４の考案に係るマウスパッドは、第１〜第３の考案に係るマウスパッドにおいて、前記発泡性ゴムシートの厚みは、２．５〜６ｍｍである。
【００１１】
第５の考案に係るマウスパッドは、第１〜第４の考案に係るマウスパッドにおいて、前記発泡性ゴムシートの材料は、クロロプレンゴム、ニトリルゴム、エチレン−プロピレンゴム、ブチルゴム、アクリルゴム、及びクロロスルホン化ポリエチレンゴムのいずれか１である。
【００１２】
第６の考案に係るマウスパッドは、第１〜第５の考案に係るマウスパッドにおいて、前記発泡性ゴムシートの寸法は横が１３〜３０ｃｍ、縦が１０〜２０ｃｍの範囲にあり、かつ角部が丸くなった矩形状となっている。
【００１３】
第７の考案に係るマウスパッドは、第１〜第６の考案に係るマウスパッドにおいて、前記広告欄には、広告主の名前、広告主の電話番号、及び広告主のウェブサイトのアドレスが記載されている。
【００１４】
そして、第８の考案に係るマウスパッドは、第１〜第７の考案に係るマウスパッドにおいて、前記発泡性ゴムシートの裏面にも広告欄が設けられている。
【考案の効果】
【００１５】
本考案に係るマウスパッドは、厚みが１〜８ｍｍの発泡性ゴムシートの表面に布シートが貼着されているので、全体が軽く、表面はボールを用いたマウス及び光学式のマウスに対しても良好に反応する。そして、更に布シートの表面には広告欄が設けられているので、宣伝効果にも優れ、贈答品としても有効に利用できる。
特に、本考案のマウスパッドにおいて、発泡性ゴムシートの裏面にも広告欄を設けた場合には、マウスパッドをひっくり返しても広告欄（広告主の名前等）を確認できる。
【図面の簡単な説明】
【００１６】
【図１】本考案の一実施の形態に係るマウスパッドの平面図である。
【図２】同マウスパッドの正面図である。
【図３】同マウスパッドの底面図である。
【考案を実施するための形態】
【００１７】
図１〜図３に示すように、本考案の一実施の形態に係るマウスパッド１０は、厚みが１〜８ｍｍ（より好ましくは、２．５〜６ｍｍ）の発泡性ゴムシート１１の表面に布シート１２が貼着され、更に布シート１２の表面には広告欄１４〜１６が設けられている。以下、これらについて詳しく説明する。
【００１８】
発泡性ゴムシート１１は、発泡率が５０〜２５０％の黒に着色されたクロロプレンゴムからなって、横幅が１３〜３０ｃｍ、縦幅が１０〜２０ｃｍの範囲にある矩形状となっている。この矩形の角部は、半径が３〜１０ｍｍの１／４円（即ち、アール）が形成されて丸くなっている。なお、発泡性ゴムシート１１の発泡は独立気泡発泡としている。
【００１９】
なお、クロロプレンゴムの代わりに、ニトリルゴム、エチレン−プロピレンゴム、ブチルゴム、アクリルゴム、クロロスルホン化ポリエチレンゴムを使用することもできる。
このマウスパッド１０においては、使用する場合に、発泡性ゴムシート１１の裏面が机面の上に直接載ることになるので、机面との間の密着性がよく、マウスを動かした場合に一緒にマウスパッドが動くことが少ない。
【００２０】
布シート１２は、ポリエステル製又はナイロン製の糸を編むことで伸縮性を持たせた布（ジャージ、具体的にはメリヤス等）シートからなって、表面は、例えば茶色、赤色、黄色、白色、緑色、青色、橙色等に着色されている。布の厚みは０．１〜１ｍｍ程度となって、発泡性ゴムシート１１とは熱接合されている（場合によっては接着剤を用いて接合してもよい）。
【００２１】
布シート１２の上に形成されている広告欄１４〜１６は、それぞれ広告主の名前、広告主の電話番号、広告主のホームページ（ウェブサイト）のアドレスが記載されている。
これらの記載は、布シート１２の上にインクを用いて印刷してもよいし、絵の具で書いてもよく、場合によっては、別の糸を用いて刺繍等で作成してもよい。広告欄１４〜１６に記載した文字は布シート１２の表面から僅少の範囲（例えば、０．０２〜０．１ｍｍ）で突出させておくのがよい。
【００２２】
そして、発泡性ゴムシート１１の裏面は無地であってもよいが、図３に示すように、適当な絵を記載する広告欄１８や、文字を記載した広告欄１９を設けてもよい。この場合の広告欄１８、１９の記載は、インク等を用い発泡性ゴムシート１１の裏面から突出しないようにするのがよい。
【００２３】
本考案は前記した実施の形態に限定されるものではなく、本考案の要旨を変更しない範囲での形状変更（例えば、円形、楕円系、その他特殊な形状）、寸法変更は可能である。
また、発泡性ゴムシートと布シートが一体となった既成の潜水服（ウェットスーツ）の素材を所定寸法に切断して、マウスパッドとすることもできる。
【符号の説明】
【００２４】
１０：マウスパッド、１１：発泡性ゴムシート、１２：布シート、１４〜１６：広告欄、１８、１９：広告欄
【図１】
0003153257.tif 000003
【図２】
0003153257.tif 000004
【図３】
0003153257.tif 000005